(57)【要約】 【課題】  動画像データから一部を抽出して短縮された動画像データを生成するダイジェスト画像データ生成処理において、所望の動画像データを抽出する技術を提供する。【解決手段】  本発明は、与えられた動画像データから少なくとも一部の動画像データを抽出する動画像データ抽出装置である。本動画像データ抽出装置は、与えられた動画像データを所定の条件に基づいて時系列的に評価して動画像評価データを生成する動画像データ評価部と、与えられた動画像データから、動画像評価データに基づいて少なくとも一部の動画像データを抽出する動画像データ抽出部と、抽出された動画像データを、動画像評価データに基づいて複数のクラスのいずれかに分類する動画像データ分類部とを備えることを特徴とする。【選択図】  図８
2005269510.tif 000002
【特許請求の範囲】
【請求項１】
与えられた動画像データから少なくとも一部の動画像データを抽出する動画像データ抽出装置であって、
前記与えられた動画像データを所定の条件に基づいて時系列的に評価して動画像評価データを生成する動画像データ評価部と、
前記与えられた動画像データから、前記動画像評価データに基づいて少なくとも一部の動画像データを抽出する動画像データ抽出部と、
前記抽出された動画像データを、前記動画像評価データに基づいて複数のクラスのいずれかに分類する動画像データ分類部と、
を備えることを特徴とする、動画像データ抽出装置。
【請求項２】
請求項１記載の動画像データ抽出装置であって、さらに、
前記与えられた動画像データをシーン毎に分割するシーン分割部を備え、
前記動画像データ抽出部は、前記シーン毎に前記抽出を行う抽出モードを有する、動画像データ抽出装置。
【請求項３】
請求項２記載の動画像データ抽出装置であって、
前記動画像データ抽出部は、
（ａ）各シーンを構成する複数の静止画像データを評価して、前記複数の静止画像データの各々の評価値である複数の静止画像評価値を生成する機能と、
（ｂ）前記複数の静止画像評価値の平均値を、前記シーン毎に前記動画像評価データとして算出する機能と、
（ｂ）前記動画像評価データが所定の閾値よりも大きなシーンを構成する動画像データを前記与えられた動画像データから抽出する機能と、
を有する、動画像データ抽出装置。
【請求項４】
請求項１ないし３のいずれかに記載の動画像データ抽出装置であって、さらに、
前記抽出された動画像データを、前記抽出された動画像データが属するクラス別に表示するように表示を制御する表示制御部を備える、動画像データ抽出装置。
【請求項５】
請求項１ないし４のいずれかに記載の動画像データ抽出装置であって、
前記抽出された動画像データと、前記抽出された動画像データが属するクラスを表すデータとを用いてデータファイルを生成する動画像データファイル生成部を備える、動画像データ抽出装置。
【請求項６】
請求項１ないし５のいずれかに記載の動画像データ抽出装置であって、
前記動画像評価データは、定性的なデータを含み、
前記動画像データ分類部は、前記定性的なデータの相違に応じて前記分類を行う分類モードを有する、動画像データ抽出装置。
【請求項７】
請求項１ないし６のいずれかに記載の動画像データ抽出装置であって、
前記動画像評価データは、定量的なデータを含み、
前記動画像データ分類部は、前記定量的なデータの大きさに応じて前記分類を行う分類モードを有する、動画像データ抽出装置。
【請求項８】
動画像データから一部の動画像データを抽出して短縮された動画像データであるダイジェスト画像データを生成するダイジェスト画像データ生成装置であって、
請求項１ないし７のいずれかに記載の動画像データ抽出装置と、
前記抽出された動画像データが複数ある場合において、前記抽出された複数の動画像データを連結して前記ダイジェスト画像データを生成する動画像データ連結部と、
を備えることを特徴とする、ダイジェスト画像データ生成装置。
【請求項９】
請求項８記載のダイジェスト画像データ生成装置であって、
前記動画像データ連結部は、前記抽出された複数の動画像データを時系列順に連結する連結モードを有する、ダイジェスト画像データ生成装置。
【請求項１０】
請求項８または９に記載のダイジェスト画像データ生成装置であって、
前記動画像データ連結部は、前記抽出された複数の動画像データを、前記静止画像評価値と前記動画像評価値の少なくとも一方に応じて決定された順序で連結する連結モードを有する、ダイジェスト画像データ生成装置。
【請求項１１】
動画像データから少なくとも一部の動画像データを抽出するための方法であって、
（ａ）前記与えられた動画像データを所定の条件に基づいて時系列的に評価して動画像評価データを生成する工程と、
（ｂ）前記与えられた動画像データから、前記動画像評価データに基づいて少なくとも一部の動画像データを抽出する工程と、
（ｃ）前記抽出された動画像データを、前記動画像評価データに基づいて複数のクラスのいずれかに分類する工程と、
を備えることを特徴とする、動画像抽出方法。
【請求項１２】
動画像データから少なくとも一部の動画像データを抽出するための処理をコンピュータに実行させるためのコンピュータプログラムであって、
前記与えられた動画像データを所定の条件に基づいて時系列的に評価して動画像評価データを生成する機能と、
前記与えられた動画像データから、前記動画像評価データに基づいて少なくとも一部の動画像データを抽出する機能と、
前記抽出された動画像データを、前記動画像評価データに基づいて複数のクラスのいずれかに分類する機能と、
を前記コンピュータに実現させるプログラムを備えることを特徴とする、コンピュータプログラム。
【発明の詳細な説明】
【技術分野】
【０００１】
本発明は、動画像データからダイジェスト画像データを生成する技術に関する。
【背景技術】
【０００２】
近年、デジタルビデオカメラその他の動画像撮像装置で記録された動画像データからその一部を抜き出して短縮された動画像データすなわちダイジェスト画像データを生成する技術が普及しつつある。ダイジェスト画像データの生成は、たとえば特許文献１や特許文献２に開示されているように動画像に含まれる静止画像毎の重要性を表す評価値に応じて動画像データを抽出することによって自動的に行うこともできる。
【０００３】
【特許文献１】特開２００２−１４２１８９号公報
【特許文献２】特開平１０−２２４７３６号公報
【発明の開示】
【発明が解決しようとする課題】
【０００４】
しかし、ダイジェスト画像データを自動的に生成する方法では、自動的に生成されたデータがユーザの意図に沿わない場合において煩雑な修正が要求されることになる。一方、ユーザが手動でダイジェスト画像データを生成するのは負担が大きい。さらに、この問題は、ダイジェスト画像データを生成する場合に限られず、動画像データの編集において、一般に生ずる問題であった。
【０００５】
この発明は、従来技術における上述の課題を解決するためになされたものであり、与えられた動画像データから一部の動画像データを抽出する処理において、ユーザの負担を軽減する技術を提供することを目的とする。
【課題を解決するための手段】
【０００６】
本発明は、与えられた動画像データから少なくとも一部の動画像データを抽出する動画像データ抽出装置であって、
前記与えられた動画像データを所定の条件に基づいて時系列的に評価して動画像評価データを生成する動画像データ評価部と、
前記与えられた動画像データから、前記動画像評価データに基づいて少なくとも一部の動画像データを抽出する動画像データ抽出部と、
前記抽出された動画像データを、前記動画像評価データに基づいて複数のクラスのいずれかに分類する動画像データ分類部と、
を備えることを特徴とする。
【０００７】
本発明の動画像データ抽出装置は、複数の動画像データを画像評価データに基づいて抽出するとともに複数のクラスに分類することができるので、この分類を手がかりにしてユーザは複数の動画像データを取り扱うことができる。これにより、与えられた動画像データから一部の動画像データを抽出する処理においてユーザの負担が軽減されることになる。
【０００８】
上記動画像抽出装置において、さらに、前記与えられた動画像データをシーン毎に分割するシーン分割部を備え、
前記動画像データ抽出部は、前記シーン毎に前記抽出を行う抽出モードを有するようにしても良い。
【０００９】
ユーザはシーン毎の分割を望む場合が多く、また、シーン毎の分割は比較的容易で信頼性も高いため、本構成は、簡易な構成で顕著な効果を奏することができる。ここで、「シーン」とは、たとえば動画像データ取得時におけるカメラの記録開始と記録停止の間の映像を意味する。
【００１０】
上記動画像抽出装置において、前記動画像データ抽出部は、
（ａ）各シーンを構成する複数の静止画像データを評価して、前記複数の静止画像データの各々の評価値である複数の静止画像評価値を生成する機能と、
（ｂ）前記複数の静止画像評価値の平均値を、前記シーン毎に前記動画像評価データとして算出する機能と、
（ｂ）前記動画像評価データが所定の閾値よりも大きなシーンを構成する動画像データを前記与えられた動画像データから抽出する機能と、
を有するようにしても良い。
【００１１】
上記動画像抽出装置において、さらに、前記抽出された動画像データを、前記抽出された動画像データが属するクラス別に表示するように表示を制御する表示制御部を備えるようにしても良い。
【００１２】
このように、抽出された各動画像データをクラス別に表示すれば、ユーザは、クラスを参照しつつ動画像データを取り扱うことができるので、動画像データの取り扱いに伴うユーザの負担を軽減することができる。
【００１３】
上記動画像抽出装置において、前記抽出された動画像データと、前記動画像データが属するクラスを表すデータとを用いてデータファイルを生成する動画像データファイル生成部を備えるようにしても良い。
【００１４】
こうすれば、データファイルにクラスを表す情報が格納されるので、抽出された動画像データの管理に伴うユーザ負担を軽減することができる。
【００１５】
上記動画像抽出装置において、前記動画像評価データは、定性的なデータを含み、
前記動画像データ分類部は、前記定性的なデータの相違に応じて前記分類を行う分類モードを有するようにしても良いし、あるいは、
前記動画像評価データは、定量的なデータを含み、
前記動画像データ分類部は、前記定量的なデータの大きさに応じて前記分類を行う分類モードを有するようにしても良い。定性的なデータには、たとえば被写体の種類（人物または風景）や音声情報（特定の人物の声が聞こえるか否か）を表すデータがある。
【００１６】
本発明の第２の態様は、動画像データから一部の動画像データを抽出して短縮された動画像データであるダイジェスト画像データを生成するダイジェスト画像データ生成装置であって、
上記に記載の動画像データ抽出装置と、
前記抽出された動画像データが複数ある場合において、前記抽出された複数の動画像データを連結して前記ダイジェスト画像データを生成する動画像データ連結部と、
を備えることを特徴とする。
【００１７】
上記ダイジェスト画像データ生成装置において、
前記動画像データ連結部は、前記抽出された複数の動画像データを時系列順に連結する連結モードを有するようにしても良いし、あるいは、
前記動画像データ連結部は、前記抽出された複数の動画像データを、前記静止画像評価値と前記動画像評価値の少なくとも一方に応じて決定された順序で連結する連結モードを有するようにしても良いし、双方の連結モードを有するようにしても良い。
【００１８】
なお、本発明は、ダイジェスト画像データ出力装置、ダイジェスト画像データ生成の方法または装置の機能をコンピュータに実現させるためのコンピュータプログラム、そのコンピュータプログラムを記録した記録媒体、そのコンピュータプログラムを含み搬送波内に具現化されたデータ信号、等の種々の形態で実現することができる。
【発明を実施するための最良の形態】
【００１９】
次に、本発明の実施の形態を実施例に基づいて以下の順序で説明する。
Ａ．本発明の実施例における画像処理システムの構成：
Ｂ．本発明の実施例におけるダイジェスト画像データ生成処理：
Ｃ．変形例：
【００２０】
Ａ．本発明の実施例における画像処理システムの構成：
図１は、本発明の一実施例としての画像処理システム１００を示す説明図である。画像処理システム１００は、動画像データを供給する動画像データベース部３０と、動画像データからその一部を抽出してダイジェスト画像データを生成するパーソナルコンピュータＰＣと、そのためのユーザインターフェースを提供するユーザインターフェース部１８と、を備えている。ユーザインターフェース部１８は、動画像データベース部３０から供給されている動画像や後述する操作表示画面を表示するディスプレイ１８ａと、ユーザからの入力を受け付けるキーボード１８ｂやマウス１８ｃを備える。
【００２１】
パーソナルコンピュータＰＣは、動画像データからのダイジェスト画像データの生成処理を実行する画像処理アプリケーションプログラム１０と、動画像データベース部３０やユーザインターフェース部１８といった外部機器との間のインターフェースを司るインターフェース部１５とを備えている。
【００２２】
画像処理アプリケーションプログラム１０は、動画像データをシーン毎に分割するシーン分割処理部１１と、シーン毎に動画像データの評価を行うシーン評価部１２と、シーン毎に動画像データを抽出する動画像データ抽出部１３と、ディスプレイ１８ａ上に抽出された複数の動画像データを分類して表示する操作表示系制御部１４とを備えている。なお、シーン評価部１２は、特許請求の範囲における「動画像評価部」として機能している。
【００２３】
動画像データベース部３０は、デジタルビデオカメラ３０ａ、ＤＶＤ３０ｂ、およびハードディスク３０ｃを動画像データの供給源として有している。動画像データは、本実施例では、ノンインターレース方式の静止画像を表すフレーム画像データの集合としている。
【００２４】
図２は、本発明の実施例のダイジェスト画像ファイル生成処理における操作表示画面２００を示す説明図である。操作表示画面２００は、ディスプレイ１８ａに表示される。操作表示画面２００は、処理対象となる元画像データの種類を選択する元画像データ種選択スイッチ１２１と、選択された種類の元画像データの中から１つを選択するための元画像データ選択ウィンドウ１２２と、処理対象となる元画像データによって表される画像を表示する画像表示エリア１２３と、ダイジェスト画像データ生成処理のための操作ボタンとを含んでいる。なお、図２の例では、元画像データ選択ウィンドウ１２２において、動画像データＧｓが選択された状態が示されている。
【００２５】
ダイジェスト画像データ生成処理のための操作ボタンには、ダイジェスト画像データを自動的に生成するための前処理として複数の動画像データを抽出するための動画像データ抽出ボタン１２４と、画像表示エリア１２３に表示される動画像の制御のための各種ボタンが含まれている。動画像を制御するための各種ボタンには、再生ボタン２３１、停止ボタン２３２、一時停止ボタン２３３、巻き戻しボタン２３４、および早送りボタン２３５が含まれている。
【００２６】
以上説明したシステム構成において、動画像データ抽出ボタン１２４が押されると、以下に示すように動画像データから複数の動画像データが抽出されるとともに、複数の動画像データの編集作業を軽減する編集用の後述する操作表示画面が表示される。
【００２７】
Ｂ．本発明の実施例におけるダイジェスト画像データ生成処理：
図３は、本発明の実施例におけるダイジェスト画像データ生成処理の内容を示すフローチャートである。ステップＳ１００では、画像処理アプリケーションプログラム１０（図１）は、動画像データベース部３０から動画像データの供給を受ける。供給された動画像データは、図示しないメモリにバッファされるとともに画像表示エリア１２３（図２）に表示される。
【００２８】
図４は、本発明の実施例で使用される動画像データの構成の一例を示す説明図である。動画像データは、１フレーム時間が３３ｍｓの時系列的に連続するフレーム画像データの集合であり、各フレーム画像データには、時系列的な順序でフレーム番号が付されている。図４の例では、動画像データは、マラソン選手が走っている様子を表している。
【００２９】
処理対象の動画像データが画像表示エリア１２３に表示された後に、ユーザが、動画像データ抽出ボタン１２４をクリックすると、処理がステップＳ２００に進められる。
【００３０】
ステップＳ２００では、シーン分割処理部１１は、シーン分割処理を実行する。シーン分割処理とは、動画像データをシーン毎に分割する処理である。本実施例では、「シーン」とは、動画像データ取得時におけるカメラの記録開始と記録停止の間を意味する。すなわち、各シーンは、記録開始によって始まり、記録停止によって終了する。シーン分割処理は、たとえば画像の急激な変化を認識することによって実現することができる。
【００３１】
図５は、本実施例の実施例におけるシーン分割処理の結果を示す表である。この表において、シーン番号とは、分割された各シーンに時系列の順序で付された番号である。開始時刻と終了時刻は、各シーンの開始時刻と終了時刻とを４組の２桁の数字で示している。具体的には、最初の２桁は時間を、次の２桁は分を、次の２桁は秒を、そして最後の２桁は各秒におけるフレーム番号を示している。たとえば４番のシーンは、０時１分１２秒の１３番目のフレームから０時１分１３秒の１５番目のフレームまでのフレームの集合として構成されている。
【００３２】
ステップＳ３００（図３）では、シーン評価部１２は、シーン評価処理を実行する。シーン評価処理とは、各シーンを構成する動画像データに含まれる複数のフレーム画像データの評価値に応じて各シーンの重要性を表す数値であるシーン評価値を算出する処理である。シーン評価値は、たとえば複数のフレーム画像データの評価値のシーン毎の平均値として算出することができる。
【００３３】
フレーム画像データの評価値は、フレーム画像データが表す静止画像の重要性を静止画像評価値として数値化したものである。この評価値の決定方法には、種々の方法があり、たとえば特開２００２−１４２１８９号公報や特開平１０−２２４７３６号公報に開示された方法が利用可能である。
【００３４】
なお、本実施例では、フレーム画像データの評価値は、最小値「０」と最大値「１」の間の値であるとしている。このため、本実施例では、複数のフレーム画像データの評価値のシーン毎の平均値であるシーン評価値も最小値「０」と最大値「１」の間の値となる。なお、有効桁数は、小数点以下２桁としている。
【００３５】
ステップＳ４００では、動画像データ抽出部１３は、動画像データ抽出処理を実行する。動画像データ抽出処理は、（１）シーン評価値が所定の閾値Ｅｔｈ以上であって、かつ、（２）シーンの再生時間が所定の時間Ｔｔｈより長いシーンを構成する動画像データを抽出する処理である。所定の閾値Ｅｔｈと所定の時間Ｔｔｈは、本実施例では、それぞれ０．６０と５秒としている。
【００３６】
ステップＳ５００では、動画像データ抽出部１３は、動画像データ分類処理を実行する。動画像データ分類処理とは、シーン評価値に応じて抽出された複数の動画像データを予め設定された３つのランクのいずれかに分類する処理である。
【００３７】
図６は、本実施例の実施例における動画像データ分類処理の内容を示す説明図である。図６（ａ）は、シーン評価値と分類対象となるランクの関係を示している。この図から分かるように、シーン評価値が０．８０以上のシーンはランク１に分類され、また、シーン評価値が０．７０から０．７９のシーンはランク２に、シーン評価値が０．６０から０．６９のシーンはランク３に、それぞれ分類される。
【００３８】
図６（ｂ）は、各シーンの評価値と分類結果を示している。シーン番号が１のシーンは、シーン評価値が０．９１であり、シーン評価値が０．８０以上なのでランク１に分類されている。シーン番号が２のシーンは、シーン評価値が０．５５でり、シーン評価値が所定の閾値ｔｈである０．６０よりも小さいので抽出対象外となっている。シーン番号が３のシーンは、シーン評価値が０．７８であり、シーン評価値が０．７０から０．７９までの間にあるのでランク２に分類されている。シーン番号が４のシーンは、シーンの再生時間が１秒程であり、所定の時間Ｔｔｈ（５秒）より短いので抽出対象外となっている。
【００３９】
動画像データ抽出部１３は、さらに、上記の分類結果に基づいて動画像データファイルを生成する。動画像データファイルは、各シーン毎に生成される。各動画像データファイルは、動画像データと分類結果を表す情報とを用いて生成される。このような動画像データファイルを生成するのは、抽出された動画像データを後に再利用する際において、分類結果を表す情報を、たとえば検索対象とすることができるので、これにより管理負担を軽減することができるからである。
【００４０】
図７は、本実施例における画像データファイルＧＦの構成を示す説明図である。画像データファイルＧＦは、画像データ格納領域９０と画像データ情報格納領域８０とから構成されている。画像データ格納領域９０と画像データ情報格納領域８０とには、それぞれフレーム画像データとその属性情報とが格納される。
【００４１】
図７の例では、画像データ情報格納領域８０には、属性情報として分類結果を表すランク値と、サムネイル画像データ（縮小画像）とが格納されている。サムネイル画像データは、たとえばフレーム画像データの評価値の最も高いフレーム画像データを選択するとともに、その解像度を調整することによって生成することができる。
【００４２】
ステップＳ６００では、操作表示系制御部１４は、抽出された複数の動画像データの各々をランク毎に表示する操作表示画面２００ａを表示する。この操作表示画面２００ａは、前述の操作表示画面２００（図２）の動画像データ抽出ボタン１２４のクリックに応じて、一定時間後に自動的に表示される。ステップＳ２００〜ステップＳ６００までの処理は、ユーザによる動画像データ抽出ボタン１２４のクリックに応じて自動的に実行されるからである。
【００４３】
図８は、本発明の実施例のダイジェスト画像ファイル生成処理における操作表示画面２００ａを示す説明図である。操作表示画面２００ａは、操作表示画面２００の元画像データ種選択スイッチ１２１と、元画像データ選択ウィンドウ１２２と、動画像データ抽出ボタン１２４とが削除される一方、抽出された複数の動画像データをサムネイル画像で表示する入力画像ウィンドウＷｉｎと、出力画像をサムネイル画像で表示する出力画像ウィンドウＷｏｕｔとが追加されている。
【００４４】
入力画像ウィンドウＷｉｎは、ランク値が１の動画像データを表示するウィンドウＷｒ１と、ランク値が２の動画像データを表示するウィンドウＷｒ２と、ランク値が３の動画像データを表示するウィンドウＷｒ３と、を含んでいる。図８においては、２つの動画像データＧｓ１、Ｇｓ２が選択されている。動画像データＧｓ１は、ウィンドウＷｒ２においてサムネイル画像で表示されているとともに、サムネイル画像の枠が太線となって選択されたことが示されている。動画像データＧｓ２は、ウィンドウＷｒ１において同様に示されている。
【００４５】
出力画像ウィンドウＷｏｕｔは、出力画像として選択された複数の動画像データを示すウィンドウＷｓｅｌと、ウィンドウＷｓｅｌと３つのウィンドウＷｒ１、Ｗｒ２、Ｗｒ３を左右にスクロールさせるためのスクロールバーＳｃｒとを含んでいる。出力画像ウィンドウＷｏｕｔは、さらに複数の動画像データを連結することによって生成されるダイジェスト画像データの再生時間を示している。
【００４６】
ウィンドウＷｓｅｌは、入力画像ウィンドウＷｉｎで選択された２つの動画像データＧｓ１、Ｇｓ２が、出力画像として選択されていることをサムネイル画像で表示している。ウィンドウＷｓｅｌで表示されたサムネイル画像をクリックすると、その動画像が画像表示エリア１２３に表示される。
【００４７】
ステップＳ７００では、ユーザは、ダイジェスト画像データファイルを生成する。ダイジェスト画像データファイルの生成は、ダイジェスト画像出力ボタン１２５をクリックすることによって実行される。ダイジェスト画像データファイルの生成は、入力画像ウィンドウＷｉｎで選択された画像を時系列的に連結することによって行われる。
【００４８】
このように、本実施例では、与えられた画像データから複数の動画像データが自動的に抽出されるとともに複数のクラスに分類されてユーザに提示されるので、ダイジェスト画像データファイルの作成においてユーザによる複数の動画像データの取り扱いの負担を軽減することができる。
【００４９】
Ｃ．変形例：
なお、この発明は上記の実施例や実施形態に限られるものではなく、その要旨を逸脱しない範囲において種々の態様において実施することが可能であり、たとえば次のような変形も可能である。
【００５０】
Ｃ−１．上述の実施例では、所定の時間よりも短い動画像データが排除されるように構成されているが、自動的に排除するのではなくダイジェスト画像データが自動的生成された後にユーザが手動で排除できるように構成しても良い。なお、上記の所定の時間Ｔｔｈは、ユーザが調整できるように構成することが好ましい。
【００５１】
Ｃ−２．上述の実施例では、抽出された複数の動画像データは、時系列順に連結されているが、たとえば静止画像評価値に応じて決定するようにしても良いし、動画像評価値に応じて決定するようにしても良いし、あるいは双方に応じて決定するようにしても良い。
【００５２】
Ｃ−３．上述の実施例では、動画像データがシーン毎に分割された後に、分割されたシーン毎に動画像データの抽出が行われているが、シーン毎に分割することなく評価値の高いフレーム画像データの集合として動画像データを抽出するようにしても良い。
【００５３】
Ｃ−４．上述の実施例では、抽出された複数の動画像データを連結してダイジェスト画像データを生成できるように構成されているが、たとえば抽出された複数の動画像データを連結することなく、分類結果を表す情報を含む動画像データファイルとして個別にユーザに提供する動画像データ抽出装置として本発明を構成しても良い。
【００５４】
Ｃ−５．上述の実施例では、動画像データから一部の動画像データを抽出しているが、全部の動画像データを抽出するように構成しても良い。この場合には、動画像データ抽出装置は、動画像データ分割装置として捉えることもできる。このような構成は、たとえば上記実施例において、シーン評価値が０．００から０．６９のシーンをランク３に分類するとともに、シーンの再生時間が短くても抽出するようにすることで実現可能である。
【００５５】
Ｃ−６．上述の実施例では、動画像データを抽出した後においてシーン毎にランク値を含む動画像データファイルを生成しているが、このような動画像データファイルを生成することなく、操作表示画面２００ａで表示するように構成しても良い。このような構成は、与えられた動画像データを構成する複数のフレーム画像を操作するためのデータを生成することによって実現することができる。
【００５６】
Ｃ−７．上述の実施例では、動画像データはノンインターレース方式のフレーム画像データで構成されていたが、本発明は、インターレース方式の動画像データにも適用することができる。この場合には、上述の実施例における各フレーム画像データは、奇数番目の走査線の画像データから構成される奇数フィールドの静止画像データと、偶数番目の走査線の画像データから構成される偶数フィールドの静止画像データと、から生成される静止画像データに相当することになる。
【００５７】
Ｃ−８．上述の実施例では、動画像データに含まれるフレーム画像データの評価値に応じて動画像データが抽出されているが、たとえば動画像データに含まれる音声データに応じて動画像データを抽出するようにしても良い。さらに、音声データに応じてランク値を決定するようにしても良い。
【００５８】
Ｃ−９．上述の実施例では、定量的な情報に基づいて分類が行われているが、定性的な情報に基づいて分類を行うようにしても良い。たとえばフレーム画像データに基づいて、被写体が人物であるか風景であるかを推定するとともに、この推定に応じて分類するようにしても良い。あるいは、たとえば特定の人物の声が聞こえる場面とその前後のみを抽出するように構成するようにしても良い。
【００５９】
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【００６０】
本発明の機能の一部または全部がソフトウェアで実現される場合には、そのソフトウェア（コンピュータプログラム）は、コンピュータ読み取り可能な記録媒体に格納された形で提供することができる。この発明において、「コンピュータ読み取り可能な記録媒体」とは、フレキシブルディスクやＣＤ−ＲＯＭのような携帯型の記録媒体に限らず、各種のＲＡＭやＲＯＭ等のコンピュータ内の内部記憶装置や、ハードディスク等のコンピュータに固定されている外部記憶装置も含んでいる。
【図面の簡単な説明】
【００６１】
【図１】本発明の一実施例としての画像処理システム１００を示す説明図。
【図２】本発明の実施例のダイジェスト画像ファイル生成処理における操作表示画面２００を示す説明図。
【図３】本発明の実施例におけるダイジェスト画像データ生成処理の内容を示すフローチャート。
【図４】本発明の実施例で使用される動画像データの構成の一例を示す説明図。
【図５】本実施例の実施例におけるシーン分割処理の結果を示す表。
【図６】本実施例の実施例における動画像データ分類処理の内容を示す説明図。
【図７】本実施例における画像データファイルＧＦの構成を示す説明図。
【図８】本発明の実施例のダイジェスト画像ファイル生成処理における操作表示画面２００ａを示す説明図。
【符号の説明】
【００６２】
１０…画像処理アプリケーションプログラム
１１…シーン分割処理部
１２…シーン評価部
１３…動画像データ抽出部
１４…操作表示系制御部
１５…インターフェース部
１８…ユーザインターフェース部
１８ａ…ディスプレイ
１８ｂ…キーボード
１８ｃ…マウス
２０…カラープリンタ
３０…動画像データベース部
３０ａ…デジタルビデオカメラ
３０ｂ…ＤＶＤ
３０ｃ…ハードディスク
８０…画像データ情報格納領域
９０…画像データ格納領域
１００…画像処理システム
１２１…元画像データ種選択スイッチ
１２２…元画像データ選択ウィンドウ
１２３…画像表示エリア
１２４…動画像データ抽出ボタン
１２５…ダイジェスト画像出力ボタン
２００…操作表示画面
２００ａ…操作表示画面
２３１…再生ボタン
２３２…停止ボタン
２３３…一時停止ボタン
２３４…巻き戻しボタン
２３５…早送りボタン
【図１】
2005269510.tif 000003
【図２】
2005269510.tif 000004
【図３】
2005269510.tif 000005
【図４】
2005269510.tif 000006
【図５】
2005269510.tif 000007
【図６】
2005269510.tif 000008
【図７】
2005269510.tif 000009
【図８】
2005269510.tif 000010